(57)【要約】  【課題】異なる変調速度の信号光を所定の間隔の波長グリッド上の任意の波長に配置できる光分波方法、光合波方法および光伝送装置を提供する。  【解決手段】２５ＧＨｚ間隔の波長グリッド上に１０Ｇｂｉｔ／ｓおよび４０Ｇｂｉｔ／ｓの各信号光を配置したＷＤＭ光ＳINが光カプラ１で２つに分岐されて経路Ｒ1，Ｒ2に送られ、経路Ｒ1側では１０Ｇｂｉｔ／ｓ用分波器１１および１×２光スイッチ１２1〜１２21により１０Ｇｂｉｔ／ｓの信号光のみが分波され、経路Ｒ2側では４０Ｇｂｉｔ／ｓ用分波器２１および１×２光スイッチ２２1，２２5…により４０Ｇｂｉｔ／ｓの信号光のみが分波される。また、分波された各信号光は、１０Ｇｂｉｔ／ｓ用合波器１３および４０Ｇｂｉｔ／ｓ用合波器２３で変調速度ごとに合波された後に光カプラ２でさらに合波されてＷＤＭ光ＳOUTとなる。  【選択図】図１
2006086920.tif 000002
【特許請求の範囲】
【請求項１】
所定の間隔の波長グリッド上に配置された異なる変調速度を有する複数の信号光を含んだ波長多重光を分波する方法であって、
前記波長多重光を光カプラで分岐して、前記異なる変調速度にそれぞれ対応した複数の経路に送り、
該複数の経路に送られた各光を、当該経路の変調速度に対応した間隔を保って前記波長グリッド上に中心波長の設定された透過帯域を有する分波器を用いてそれぞれ分波し、
該分波器の各出力ポートに接続した光スイッチ上の光路を前記波長多重光に含まれる各信号光の波長および変調速度の設定に応じて切り替えることにより、前記分波器の各出力ポートから出力される信号光のうちで当該分波器が対応する変調速度の信号光を透過し、他の変調速度の信号光を遮断することを特徴とする光分波方法。
【請求項２】
所定の間隔の波長グリッド上に配置された異なる変調速度を有する複数の信号光を合波する方法であって、
前記複数の信号光を前記異なる変調速度にそれぞれ対応した複数の経路に送り、
該複数の経路に送られた各信号光を、当該経路の変調速度に対応した間隔を保って前記波長グリッド上に中心波長の設定された透過帯域を有する合波器を用いてそれぞれ合波する際に、該合波器の各入力ポートに対して当該合波器が対応する変調速度の信号光のみが与えられるようにし、
前記複数の経路の各合波器でそれぞれ合波された光をさらに光カプラで合波することを特徴とする光合波方法。
【請求項３】
所定の間隔の波長グリッド上に配置された異なる変調速度を有する複数の信号光を含んだ波長多重光を伝送する光伝送装置であって、
前記波長多重光を分波する分波部、および、入力される複数の信号光を合波する合波部の少なくとも一方を有し、
前記分波部は、前記波長多重光を分岐して前記異なる変調速度にそれぞれ対応した複数の経路に送る光カプラと、該光カプラにより複数の経路に送られた各光を、当該経路の変調速度に対応した間隔を保って前記波長グリッド上に中心波長の設定された透過帯域に従ってそれぞれ分波する複数の分波器と、該各分波器の各々の出力ポートに接続する複数の光スイッチと、前記複数の分波器の各出力ポートから出力される信号光のうちで当該分波器が対応する変調速度の信号光を透過し、他の変調速度の信号光を遮断するように、前記複数の光スイッチ上の各光路を、前記波長多重光に含まれる各信号光の波長および変調速度の設定に応じて切り替える制御部と、を備え、
前記合波部は、前記異なる変調速度にそれぞれ対応した複数の経路に送られる前記複数の信号光を、当該経路の変調速度に対応した間隔を保って前記波長グリッド上に中心波長の設定された透過帯域に従って合波する複数の合波器と、該各合波器の各入力ポートに対して当該合波器が対応する変調速度の信号光のみが与えられるようにする入力制御部と、前記複数の合波器でそれぞれ合波された光をさらに合波する光カプラと、を備えたことを特徴とする光伝送装置。
【請求項４】
請求項３に記載の光伝送装置であって、
光ファイバ伝送路を伝搬した前記波長多重光が前記分波部に与えられ、該分波部で分波された各波長の信号光が前記合波部で再び合波されて前記光ファイバ伝送路に送られると共に、前記分波部の光カプラおよび前記合波部の光カプラの間の各経路を伝搬する信号光に対して予め定めた処理を施すノード処理部を備えたことを特徴とする光伝送装置。
【請求項５】
請求項４に記載の光伝送装置であって、
前記ノード処理部は、予め定めた波長および変調速度の信号光を分岐および挿入することを特徴とする光伝送装置。
【請求項６】
請求項４に記載の光伝送装置であって、
前記ノード処理部は、異なる変調速度ごとに分波された信号光群に対して、各々の変調速度に対応した波長分散補償を行うことを特徴とする光伝送装置。
【請求項７】
請求項６に記載の光伝送装置であって、
前記ノード処理部は、前記合波部の複数の合波器と前記合波部の光カプラとの間の各経路上にそれぞれ挿入した複数の分散補償ファイバを有し、
前記分波部は、前記各分散補償ファイバに入力される信号光パワーが予め定めた上限値よりも小さくなるように、前記光カプラの分岐比が設定されていることを特徴とする光伝送装置。
【請求項８】
請求項３に記載の光伝送装置であって、
光ファイバ伝送路を伝搬した前記波長多重光が前記分波部に与えられ、該分波部で分波された各信号光を各々の波長および変調速度に対応した受信機で受信処理することを特徴とする光伝送装置。
【請求項９】
請求項３に記載の光伝送装置であって、
複数の送信機から出力される波長および変調速度の異なる複数の信号光が前記合波部に与えられ、該合波部で合波された波長多重光を光ファイバ伝送路に送信することを特徴とする光伝送装置。
【請求項１０】
請求項３に記載の光伝送装置であって、
前記複数の信号光は、２５ＧＨｚ間隔の波長グリッド上の任意の波長に配置可能な１０Ｇｂｉｔ／ｓの信号光と、前記２５ＧＨｚ間隔の波長グリッド上で少なくとも１００ＧＨｚの間隔を保って配置可能な４０Ｇｂｉｔ／ｓの信号光と、を含むことを特徴とする光伝送装置。
【発明の詳細な説明】
【技術分野】
【０００１】
本発明は、波長の異なる複数の信号光を含んだ波長多重（Wavelength Division Multiplexing：ＷＤＭ）光を伝送する光伝送システムに好適な光分波方法および光合波方法、並びに、それを用いた光伝送装置に関し、特に、異なる変調速度を有する信号光を合分波するための技術に関する。
【背景技術】
【０００２】
図１３は、一般的なＷＤＭ光伝送システムの構成の一例を示す概略図である。このＷＤＭ光伝送システムにおいて、送信端局５１０では、複数の送信機（ＯＳ）から出力される波長の異なる信号光が光合波器で波長多重された後、そのＷＤＭ光が光ポストアンプで増幅されて光ファイバ伝送路Ｌに送信される。また、光ファイバ伝送路Ｌ上に配置されたノード装置５２０では、光ファイバ伝送路Ｌを伝搬するＷＤＭ光に対する所要の波長の信号光の分岐・挿入（Optical Add Drop Multiplexing：ＯＡＤＭ）や、伝送により劣化した信号光波形に対する波長分散補償および／または偏波モード分散補償、各波長の信号光間のパワー偏差の補償などが行われる。そして、受信端局５３０では、光ファイバ伝送路Ｌを伝送されたＷＤＭ光が光プリアンプで増幅された後、光分波器で１波長ごとに分波されて各々に対応する受信機（ＯＲ）にて受信される。このようなＷＤＭ光伝送システムでは、送信端局５１０、光ノード装置５２０および受信端局５３０において、各波長の信号光を合波または分波する技術が必要である。
【０００３】
上記のようなＷＤＭ光伝送システムについては、異なる変調速度を有する信号光を波長多重して伝送するシステムに対する要望が高まっている。これに対応した従来のシステムとしては、波長間隔の異なる複数のビットレートの信号光（例えば、５０ＧＨｚ間隔で配置された１０Ｇｂｉｔ／ｓの信号光と、１００ＧＨｚ間隔で配置された４０Ｇｂｉｔ／ｓの信号光など）を効率的に配置できるようにしたＷＤＭ光通信システムが提案されている（例えば、特許文献１、２参照）。
【特許文献１】特開２００２−１１２２９４号公報
【特許文献２】特開２００１−３４５７８４号公報
【発明の開示】
【発明が解決しようとする課題】
【０００４】
ところで、上記のような異なる変調速度を有する信号光をＷＤＭ伝送するシステムの場合、信号光の変調速度（ビットレート）に応じて信号光のスペクトル幅（帯域幅）が異なるため、信号光の合分波を行う際に工夫が必要である。すなわち、５０ＧＨｚ間隔等のように配置間隔が高密度化された信号光を合分波するための１つの技術として、例えば、アレー導波路型回折格子（Arrayed Waveguide Grating：ＡＷＧ）フィルタや多層膜フィルタ等を用いて合分波した信号光を、インターリーバを用いてさらに合分波する手法が知られている。このようにインターリーバを利用して信号光の合分波を行うとき、変調速度の異なる信号光を共通のインターリーバで合分波すると、信号光のスペクトル幅が変調速度に応じて相違するため、信号品質が劣化するという問題がある。なお、インターリーバとは、ある波長間隔の信号群を偶数チャネルと奇数チャネルとに分波して２倍の波長間隔を持つ信号群にする、または、その逆に偶数チャネルと奇数チャネルとを合波して１／２倍の波長間隔の信号群にする機能をもった光合分波器のことである。
【０００５】
具体的に、例えば、１０Ｇｂｉｔ／ｓの信号光を５０ＧＨｚ間隔で配置してＷＤＭ伝送するシステムにおいて、一部の信号光のビットレートを４０Ｇｂｉｔ／ｓに変更してシステムのアップグレード（大容量化）を行う場合、当該ＷＤＭ光を１０Ｇｂｉｔ／ｓの信号光に対応した５０ＧＨｚ／１００ＧＨｚ間隔のインターリーバを利用して合分波すると、４０Ｇｂｉｔ／ｓの信号光のスペクトル幅が１０Ｇｂｉｔ／ｓの信号光のスペクトル幅よりも広いため、４０Ｇｂｉｔ／ｓの信号成分が隣接チャネルに漏れ込み（クロストーク）、また、４０Ｇｂｉｔ／ｓの信号光のスペクトル自身もインターリーバによって帯域の制限を受けてしまう。一方、４０Ｇｂｉｔ／ｓの信号光に対応させて１００ＧＨｚ／２００ＧＨｚ間隔のインターリーバを用いるようにした場合には、クロストークや帯域制限の問題は生じないものの、１０Ｇｂｉｔ／ｓの信号光も１００ＧＨｚ間隔で伝送されるため、周波数利用効率が低くなりアップグレードの効果が得られなくなってしまう。
【０００６】
上記のような問題を回避するために、前述した特許文献２記載の発明では、インターリーバの各ポートに対応した透過特性が非対称となるように工夫されている。また、本出願人は、例えば図１４に示すように透過帯域の中心周波数を互いにずらしたインターリーバを複数組み合わせて用いる技術を提案している（例えば、特願２００３−０８３９８４号参照）。
【０００７】
上記先願発明の概要を図１４の構成例を参照して簡単に説明すると、１００ＧＨｚ／２００ＧＨｚ間隔のインターリーバ５４０に与えられるＷＤＭ光は、５０ＧＨｚ間隔のグリッド上で、奇数チャネルに帯域幅２５ＧＨｚの１０Ｇｂｉｔ／ｓ信号光が配置され、偶数チャネルに帯域幅７５ＧＨｚの４０Ｇｂｉｔ／ｓ信号光が配置される。このＷＤＭ光は、インターリーバ５４０による分波後、１００ＧＨｚ／２００ＧＨｚ間隔のインターリーバ５５０および５６０により分波される。インターリーバ５４０のポートＡ１およびインターリーバ５５０のポートＢ１の各透過帯域の重複部分がチャネルｃｈ［４ｉ−２］（ｉ：１以上の整数）の信号帯域と略一致するように、両ポートの透過帯域の中心周波数は、１０Ｇｂｉｔ／ｓ信号光の中心周波数から±１２．５ＧＨｚだけシフトしている。これにより、ポートＢ１からはチャネルｃｈ［４ｉ−２］の４０Ｇｂｉｔ／ｓ信号光のみが取り出される。また、他のポートの透過帯域の重複部分も同様にして取り出したいチャネルの信号帯域と略一致するように設定されている。
【０００８】
しかしながら、上記のような変調速度の異なる信号光に対応した合分波技術については、信号光の波長（周波数）によってその変調速度が予め決められているため、各波長の信号光の変調速度を自由に設定することができないという課題がある。
本発明は上記の点に着目してなされたもので、異なる変調速度の信号光を所定の間隔の波長グリッド上の任意の波長に配置できる光分波方法および光合波方法、並びに、それを用いた光伝送装置を提供することを目的とする。
【課題を解決するための手段】
【０００９】
上記の目的を達成するため、本発明の光分波方法は、所定の間隔の波長グリッド上に配置された異なる変調速度を有する複数の信号光を含んだ波長多重光を分波する方法であって、前記波長多重光を光カプラで分岐して、前記異なる変調速度にそれぞれ対応した複数の経路に送り、該複数の経路に送られた各光を、当該経路の変調速度に対応した間隔を保って前記波長グリッド上に中心波長の設定された透過帯域を有する分波器を用いてそれぞれ分波し、該分波器の各出力ポートに接続した光スイッチ上の光路を前記波長多重光に含まれる各信号光の波長および変調速度の設定に応じて切り替えることにより、前記分波器の各出力ポートから出力される信号光のうちで当該分波器が対応する変調速度の信号光を透過し、他の変調速度の信号光を遮断することを特徴とする。
【００１０】
また、本発明の光合波方法は、所定の間隔の波長グリッド上に配置された異なる変調速度を有する複数の信号光を合波する方法であって、前記複数の信号光を前記異なる変調速度にそれぞれ対応した複数の経路に送り、該複数の経路に送られた各信号光を、当該経路の変調速度に対応した間隔を保って前記波長グリッド上に中心波長の設定された透過帯域を有する合波器を用いてそれぞれ合波する際に、該合波器の各入力ポートに対して当該合波器が対応する変調速度の信号光のみが与えられるようにし、前記複数の経路の各合波器でそれぞれ合波された光をさらに光カプラで合波することを特徴とする。
【００１１】
さらに、本発明の光伝送装置は、所定の間隔の波長グリッド上に配置された異なる変調速度を有する複数の信号光を含んだ波長多重光を伝送する装置であって、前記波長多重光を分波する分波部、および、入力される複数の信号光を合波する合波部の少なくとも一方を有するものである。そして、前記分波部は、前記波長多重光を分岐して前記異なる変調速度にそれぞれ対応した複数の経路に送る光カプラと、該光カプラにより複数の経路に送られた各光を、当該経路の変調速度に対応した間隔を保って前記波長グリッド上に中心波長の設定された透過帯域に従ってそれぞれ分波する複数の分波器と、該各分波器の各々の出力ポートに接続する複数の光スイッチと、前記複数の分波器の各出力ポートから出力される信号光のうちで当該分波器が対応する変調速度の信号光を透過し、他の変調速度の信号光を遮断するように、前記複数の光スイッチ上の各光路を、前記波長多重光に含まれる各信号光の波長および変調速度の設定に応じて切り替える制御部と、を備えたことを特徴とする。また、前記合波部は、前記異なる変調速度にそれぞれ対応した複数の経路に送られる前記複数の信号光を、当該経路の変調速度に対応した間隔を保って前記波長グリッド上に中心波長の設定された透過帯域に従って合波する複数の合波器と、該各合波器の各入力ポートに対して当該合波器が対応する変調速度の信号光のみが与えられるようにする入力制御部と、前記複数の合波器でそれぞれ合波された光をさらに合波する光カプラと、を備えたことを特徴とする。
【００１２】
上記のような本発明の光分波方法、光合波方法および光伝送装置では、異なる変調速度を有する複数の信号光が所定の間隔の波長グリッド上の任意の波長に効率的に配置され、それらの信号光の合分波がクロストークや帯域制限を受けることなく確実に行われるようになる。
【発明の効果】
【００１３】
以上のように本発明によれば、異なる変調速度を有する複数の信号光を所定の間隔の波長グリッド上の任意の波長に配置可能な光分波方法および光合波方法を実現することができる。よって、光伝送システムを構成する光ノード装置や送受信端局などの各種光伝送装置に本発明の光分波方法および光合波方法を適用することで、大容量のＷＤＭ光を良好な信号品質を保って経済的かつ柔軟に伝送することが可能になる。
【発明を実施するための最良の形態】
【００１４】
以下、本発明を実施するための最良の形態について添付図面を参照しながら説明する。なお、全図を通して同一の符号は同一または相当部分を示すものとする。
図１は、本発明の光分波方法および光合波方法の基本的な原理を説明するための図である。ここでは、例えば、１０Ｇｂｉｔ／ｓの信号光と４０Ｇｂｉｔ／ｓの信号光とが混在するＷＤＭ光を一旦分波して再び合波するような構成を想定して説明を行うことにする。
【００１５】
まず、図１の左側から与えられるＷＤＭ光ＳINが光カプラ１のポートＰ10に入力される。光カプラ１では、入力光が２つに分岐され、一方の分岐光がポートＰ11を介して図で上側の経路Ｒ1に出力され、他方の分岐光がポートＰ12を介して図で下側の経路Ｒ2に出力される。経路Ｒ1側には、１０Ｇｂｉｔ／ｓ用分波器１１、１×２光スイッチ１２1〜１２21および１０Ｇｂｉｔ／ｓ用合波器１３が接続され、経路Ｒ2側には、４０Ｇｂｉｔ／ｓ用分波器２１、１×２光スイッチ２２1，２２5，２２9，２２13，２２17，２２21および４０Ｇｂｉｔ／ｓ用合波器２３が接続されており、各経路Ｒ1，Ｒ2の合波器１３，２３からの出力光が光カプラ２のポートＰ21,Ｐ22にそれぞれ与えられて合波され、ポートＰ20からＷＤＭ光ＳOUTが出力される。
【００１６】
図２は、上記図１の構成の各地点Ａ〜Ｆにおけるスペクトルの一例を示したものである。なお、地点Ａは光カプラ１の入力端、地点Ｂは１０Ｇｂｉｔ／ｓ用分波器１１の出力端、地点Ｃは４０Ｇｂｉｔ／ｓ用分波器２１の出力端、地点Ｄは１０Ｇｂｉｔ／ｓ用合波器１３の出力端、地点Ｅは４０Ｇｂｉｔ／ｓ用合波器２３の出力端、地点Ｆは光カプラ２の出力端とする。
【００１７】
光カプラ１のポートＰ10に入力されるＷＤＭ光ＳINは、ここでは例えば図２（Ａ）に示すように、２５ＧＨｚ間隔の波長グリッドに対して、波長グリッド番号１，２，１２，１３，１４，２０，２１に１０Ｇｂｉｔ／ｓの信号光が配置され、波長グリッド番号５，９，１７に４０Ｇｂｉｔ／ｓ信号光が配置されているものとする。なお、１０Ｇｂｉｔ／ｓの信号光は、図２の全ての波長グリッド番号に配置することが可能である。一方、４０Ｇｂｉｔ／ｓの信号光は、１０Ｇｂｉｔ／ｓの信号光に対して４倍のスペクトル幅を持つため、２５ＧＨｚ間隔の波長グリッドに対して少なくとも１００ＧＨｚの間隔を保って配置することが必要となる。このため、４０Ｇｂｉｔ／ｓの信号光を配置することのできる波長グリッド番号は、例えば１，５，９，１３，１７，２１等のように１００ＧＨｚ間隔となる。
【００１８】
上記のような２つの変調速度の信号光が混在したＷＤＭ光ＳINが光カプラ１で２つの経路Ｒ1，Ｒ2に分岐された後に１０Ｇｂｉｔ／ｓ用分波器１１および４０Ｇｂｉｔ／ｓ用分波器２１にそれぞれ与えられる。これにより、１０Ｇｂｉｔ／ｓ用分波器１１および４０Ｇｂｉｔ／ｓ用分波器２１の各出力スペクトルは、図２（Ｂ）および図２（Ｃ）に示すように、２つの変調速度の信号光が混在した状態となる。なお、図２（Ｂ）の太線は波長グリッド番号１〜２１にそれぞれ対応した１０Ｇｂｉｔ／ｓ用分波器１１の透過帯域を示し、図２（Ｃ）の太線は波長グリッド番号１，５，９，１３，１７，２１にそれぞれ対応した４０Ｇｂｉｔ／ｓ用分波器２１の透過帯域を示している。
【００１９】
そこで、１０Ｇｂｉｔ／ｓ用分波器１１の各出力に設置した１×２光スイッチ１２1〜１２21を、１０Ｇｂｉｔ／ｓの信号光が配置されたチャネルのみが後段の１０Ｇｂｉｔ／ｓ用合波器１３に与えられ、他のチャネルは全て遮断されるように設定する。また、これと同様にして、４０Ｇｂｉｔ／ｓ用分波器２１の各出力に設置した１×２光スイッチ２２1，２２5，２２9，２２13，２２17，２２21を、４０Ｇｂｉｔ／ｓの信号光が配置されたチャネルのみが後段の４０Ｇｂｉｔ／ｓ用合波器２３に与えられ、他のチャネルは全て遮断されるように設定する。
【００２０】
具体的に、ここでは経路Ｒ1側について、波長グリッド番号１，２，１２，１３，１４，２０，２１に対応した各１×２光スイッチの光路が１０Ｇｂｉｔ／ｓ用合波器１３に接続する経路側に設定され、他の波長グリッド番号３〜１１，１５〜１９に対応した各光スイッチの光路が光終端器Ｔ側に設定される。また、経路Ｒ2側については、波長グリッド番号５，９，１７に対応した各１×２光スイッチの光路が４０Ｇｂｉｔ／ｓ用合波器２３に接続する経路側に設定され、他の波長グリッド番号１，１３，２１に対応した各光スイッチの光路が光終端器Ｔ側に設定される。なお、光終端器Ｔは、フレネル反射を防ぐために用いられる。
【００２１】
上記のように各１×２光スイッチ上の光路を設定することによって、１０Ｇｂｉｔ／ｓ用合波器１３および４０Ｇｂｉｔ／ｓ用合波器２３の各出力スペクトルは、図２（Ｄ）および図２（Ｅ）に示すように、１０Ｇｂｉｔ／ｓの信号光および４０Ｇｂｉｔ／ｓの信号光のいずれか一方のみが存在するようになる。そして、１０Ｇｂｉｔ／ｓ用合波器１３および４０Ｇｂｉｔ／ｓ用合波器２３からの各出力光が光カプラ２によって再び合波されることにより、図２（Ｆ）に示すような１０Ｇｂｉｔ／ｓの信号光と４０Ｇｂｉｔ／ｓの信号光とが混在したＷＤＭ光ＳOUTが光カプラ２から出力されるようになる。
【００２２】
以上説明したような本発明の光分波方法および光合波方法は、例えば図３に示すように、入力されるＷＤＭ光に含まれる複数の信号光のうちから任意の波長の信号光を選択してＷＤＭ光として出力することのできる、波長ブロッカや波長選択スイッチなどを利用した公知の光デバイス１０，２０を各経路Ｒ1，Ｒ2上に設けるようにしても実現することも可能である。この図３の構成において、各地点Ａ，Ｄ，Ｅ，Ｆでのスペクトルは、前述の図２（Ａ），（Ｄ），（Ｅ），（Ｆ）に示したスペクトルと同様になる。上記公知の光デバイス１０，２０の具体例を挙げておくと、波長ブロッカを利用した光デバイスとしては、例えば特開２００２−３２３６８３号公報の図２に示された構成を適用することが可能である。また、波長選択スイッチを利用した光デバイスとしては、例えば米国特許第６５４９６９９号明細書の図１Ａに示された光学系を応用して、前述の図１に示した複数の１×２光スイッチに相当する機能を実現することが可能である。ただし、本発明に用いられる光デバイスは上記の具体例に限定されるものではない。
【００２３】
上述したように本発明の光分波方法および光合波方法によれば、異なる変調速度の信号光をグリッド上の任意の波長に配置することができる。また、図１や図３の構成例に示したように既存の光デバイスのみを用いて実現することが可能であるため、経済的にも優れた光分波方法および光合波方法が実現される。
次に、上記のような本発明の光分波方法および光合波方法を適用した光伝送システムの実施形態について説明する。
【００２４】
図４は、本発明による光伝送システムの一実施形態の全体構成を示す図である。
図４において、本光伝送システムは、例えば、上述の図１３に示した一般的なＷＤＭ光伝送システムと同様の構成について、本発明の光合波方法を適用して送信端局１１０を構成すると共に、本発明の光分波方法を適用して受信端局１３０を構成し、また、本発明の光分波方法および光合波方法を適用して光ノード装置１２０を構成したものである。
【００２５】
送信端局１１０は、例えば、２５ＧＨｚ間隔の波長グリッドに対応した１０Ｇｂｉｔ／ｓ信号光を生成する複数の送信機（ＯＳ）１１１および該各１０Ｇｂｉｔ／ｓ信号光を合波する合波器１１３を有する。また、上記２５ＧＨｚ間隔の波長グリッド上で１００ＧＨｚの間隔を保って配置される４０Ｇｂｉｔ／ｓ信号光を生成する複数の送信機（ＯＳ）１１２および該各４０Ｇｂｉｔ／ｓ信号光を合波する合波器１１４を有する。各合波器１１３および１１４で合波された１０Ｇｂｉｔ／ｓおよび４０Ｇｂｉｔ／ｓの各信号光は、光カプラ１１５で合波された後に光ポストアンプ１１６で増幅されて光ファイバ伝送路Ｌに送信される。また、上記の送信端局１１０は、光ファイバ伝送路Ｌに送信するＷＤＭ光Ｓに含まれる各信号光の運用波長およびビットレートに関する情報を管理する管理部１１７を有する。この管理部１１７は、信号光の波長やビットレートを変更する際、各送信機１１１，１１２に制御信号を送って各々の駆動状態を制御し、各送信機１１１，１１２から出力される信号光のオンオフ状態を切り替える。またこれと同時に、信号光の運用波長およびビットレートに関する情報を示す信号ＩＮＦを生成し、それを合波器１１８を介して光ファイバ伝送路Ｌに送信して下流側に伝達する機能をもつ。
【００２６】
光ノード装置１２０は、例えば、光ファイバ伝送路Ｌを伝搬したＷＤＭ光Ｓを１０Ｇｂｉｔ／ｓの信号光群と４０Ｇｂｉｔ／ｓの信号光群とに一旦分離し、各々の信号光群ごとに波長分散補償を行った後、それらを再び合波して光ファイバ伝送路Ｌに送信する。具体的には、光ファイバ伝送路Ｌからの入力光が光アンプ１２１で所要のレベルまで増幅された後に、その増幅光が分波器１２２を介して光カプラ１２３に与えられる。この光カプラ１２３は、図１の光カプラ１に相当するものである。光カプラ１２３で２つに分岐され経路Ｒ1側に送られた光は、１０Ｇｂｉｔ／ｓ用分波器２１１、複数の１×２光スイッチ２１２、１０Ｇｂｉｔ／ｓ用合波器２１３および１０Ｇｂｉｔ／ｓ用分散補償ファイバ（ＤＣＦ）２１４を順に通って光カプラ１２４に与えられ、また、経路Ｒ2側に送られた光は、４０Ｇｂｉｔ／ｓ用分波器２２１、複数の１×２光スイッチ２２２、４０Ｇｂｉｔ／ｓ用合波器２２３および４０Ｇｂｉｔ／ｓ用分散補償ファイバ（ＤＣＦ）２２４を順に通って光カプラ１２４に与えられる。このとき、各経路Ｒ1，Ｒ2の１×２光スイッチ２１２，２２２は、制御部１２５からの制御信号に従って各々の光路が切り替えられる。制御部１２５は、上流側より光ファイバ伝送路Ｌを介して伝達される、信号光の運用波長およびビットレートに関する情報を示す信号ＩＮＦを分波器１２２で取り出し、その情報に従って各１×２光スイッチ２１２，２２２の光路の接続状態を決める制御信号を生成する。光カプラ１２４に与えられて再び合波されたＷＤＭ光Ｓは光アンプ１２６で所要のレベルまで増幅された後に光ファイバ伝送路Ｌに出力される。
【００２７】
受信端局１３０は、光ファイバ伝送路Ｌを伝搬したＷＤＭ光Ｓを光プリアンプ１３１で所要のレベルまで増幅した後に、その増幅光を分波器１３２を介して光カプラ１３３に与えて、２つに分岐した光を経路Ｒ1，Ｒ2にそれぞれ送る。経路Ｒ1側に送られた光は、１０Ｇｂｉｔ／ｓ用分波器３１１で分波された後に各々に対応する１×２光スイッチ３１２を介して１０Ｇｂｉｔ／ｓ用受信器（ＯＲ）１３４で受信される。また、経路Ｒ2側に送られた光は、４０Ｇｂｉｔ／ｓ用分波器３２１で分波された後に各々に対応する１×２光スイッチ３２２を介して４０Ｇｂｉｔ／ｓ用受信器（ＯＲ）１３５で受信される。各経路Ｒ1，Ｒ2の１×２光スイッチ３１２，３２２は、制御部１３６からの制御信号に従って各々の光路が切り替えられる。制御部１３６は、上流側より光ファイバ伝送路Ｌを介して伝達される、信号光の運用波長およびビットレートに関する情報を示す信号ＩＮＦを分波器１３２で取り出し、その情報に従って各１×２光スイッチ３１２，３２２の光路の接続状態を決める制御信号を生成する。
【００２８】
上記のような構成の光伝送システムによれば、送信端局１１０における信号光の運用波長およびビットレートに関する情報を光ファイバ伝送路Ｌ上の光ノード装置１２０および受信端局１３０にそれぞれ伝達し、その情報に従って光ノード装置１２０および受信端局１３０の各１×２光スイッチをそれぞれ制御するようにしたことによって、１０Ｇｂｉｔ／ｓの信号光と４０Ｇｂｉｔ／ｓの信号光とが２５ＧＨｚ間隔の波長グリッド上の任意の波長に配置されたＷＤＭ光Ｓを良好な信号品質を保って送信端局１１０から受信端局１３０に伝送することが可能になる。また、光ノード装置１２０において１０Ｇｂｉｔ／ｓおよび４０Ｇｂｉｔ／ｓの信号光群ごとに波長分散補償を行うことが可能であるため、波長分散補償量の最適値が信号光のビットレートによって異なっていても、１０Ｇｂｉｔ／ｓおよび４０Ｇｂｉｔ／ｓの各信号光に対してそれぞれ最適な波長分散補償量を与えることができる。
【００２９】
なお、上記光伝送システムの一実施形態では、光ノード装置１２０においてビットレートごとに波長分散補償が行われる一例を示したが、例えば図５に示すような構成を光ノード装置１２０の各経路Ｒ1，Ｒ2に適用することによって、特定波長の信号光のアド・ドロップを行うことが可能である。具体的に、図５の構成例においては、上述の図２に例示したような信号光の波長配置を想定し、各経路Ｒ1，Ｒ2での信号光の透過（スルー）および遮断（オフ）を制御する各１×２光スイッチ２１２，２２２の後段に、さらに、１×２光スイッチ２１５，２２５および２×１光スイッチ２１６，２２６を設けることで、特定波長の信号光のアド・ドロップを可能にしている。ここでは図示を省略したが、各光スイッチ２１２，２２２，２１４，２２４，２１５，２２５は、送信端局１１０から伝達される運用波長およびビットレートに関する情報に従って制御部により制御されるものとする。図５において、各光スイッチの実線で示した光路の設定例は、波長ブロック番号１３の１０Ｇｂｉｔ／ｓ信号光と、波長ブロック番号５，１７の４０Ｇｂｉｔ／ｓ信号光とを当該ノードでアド・ドロップし、その他の信号光をスルーする場合に対応している。なお、当該ノードにおいて信号光がアド・ドロップされない波長について、それに対応する送信機（ＯＳ）および受信機（ＯＲ）を用意するか否かは適宜に決めることができる。
【００３０】
また、上記光伝送システムの一実施形態では、光ノード装置１２０について、図１の構成を用いて、ＷＤＭ光を１０Ｇｂｉｔ／ｓの信号光群と４０Ｇｂｉｔ／ｓの信号光群とに分離する一例を示したが、上述の図３に示した波長ブロッカや波長選択スイッチなどを利用した光デバイスを各経路Ｒ1，Ｒ2上に設けた構成を用いて、各信号光群を分離するようにしてもよい。
【００３１】
さらに、送信端局１１０について、管理部１１３からの制御信号により各送信機１１１，１１２のオンオフを切り替える場合について説明したが、例えば図６に示すように、使用しない波長の送信機を外して光終端器を接続するようにしても構わない。この場合、信号光の波長やビットレートの変更に対応するためには、送信機および光終端器の付け替え作業等を行うことになる。また、受信端局１３０についても、上記の送信端局１１０と同様にして、例えば図７に示すように、使用しない波長の受信機を外して光終端器を接続するようにしてもよい。
【００３２】
加えて、送信端局１１０については、例えば図８に示すように、各送信機１１１，１１２の出力端に１×２光スイッチ１１９をそれぞれ挿入し、ここでは図示を省略した管理部からの制御信号に従って各１×２光スイッチ１１９の切り替え動作を制御するような構成を適用することも可能である。
次に、上述したようなビットレートごとに個別に波長分散補償を行う光ノード装置の好ましい応用例について説明する。
【００３３】
図９は、上記の応用例による光ノード装置の要部構成を示す図である。
図９において、本光ノード装置の特徴は、入力光の経路を２分岐する光カプラ１２３’について、各ポートＰ11，Ｐ12の分岐比を必ずしも１：１でない任意の比率ａ：ｂにすることで、各分散補償ファイバ２１４，２２４に入力される信号光のパワーをビットレートごとに異なる値に設定できるようにし、また、これと同様にして各分散補償ファイバ２１４，２２４からの出力光を合波する出力側の光カプラ１２４’についても、各ポートＰ21，Ｐ22の分岐比を任意の比率ｃ：ｄに設定できるようにした点である。
【００３４】
一般に、分散補償ファイバに入力してよい信号光パワーの上限値は、システム設計上、信号光のビットレートによって異なる場合が多い。それは、ビットレートが高いほど波長分散の影響を受けやすいために、信号光パワーを小さくして、分散補償ファイバ中で発生する信号光位相変調をなるべく抑圧する必要があるからである。そこで、各経路Ｒ1，Ｒ2のビットレートに対応した上記信号光パワーの上限値に応じて、入力側の光カプラ１２３’の分岐比ａ：ｂを最適設計することにより、各分散補償ファイバ２１４，２２４中での信号光位相変調の発生を抑圧することが可能になる。
【００３５】
また、上記のように入力側の光カプラ１２３’の分岐比を任意の比率ａ：ｂとしたことにより、各分散補償ファイバ２１４，２２４を通って出力側の光カプラ１２４’で合波される各ビットレートの信号光パワーにレベル差が発生する。このようなレベル差の生じたＷＤＭ光を光アンプで増幅などしてから光ファイバ伝送路Ｌに出力すると、ＷＤＭ光の伝送特性を劣化させてしまう可能性がある。そこで、出力側の光カプラ１２４’についても光ファイバ伝送路Ｌに出力されるＷＤＭ光のパワーが最適化されるように分岐比ｃ：ｄを設計して、伝送特性の劣化を防ぐようにする。
【００３６】
なお、ここでは光カプラ１２３’の分岐比を必ずしも１：１でない任意の比率に設定することによって、各ビットレートの信号光パワーの最適化を図るようにしたが、例えば、光カプラの分岐比は１：１に設定し、分岐後の各信号光のパワーを損失媒体または増幅媒体を用いてそれぞれ最適化するようにしてもよい。ただし、光カプラの分岐比を最適設計する方が信号光のＳＮ比劣化が小さいという点で有利である。
【００３７】
また、上記のような光ノード装置の応用例は、上述の図３に示した波長ブロッカや波長選択スイッチなどを利用した光デバイス１０，２０を適用した構成についても勿論有効である。この場合の構成例を図１０に示しておく。
次に、本発明による光ノード装置の他の応用例について説明する。
上述してきなような光ノード装置では、２５ＧＨｚ間隔の波長グリッドに対して、１０Ｇｂｉｔ／ｓの信号光は任意の波長に配置可能であるものの、４０Ｇｂｉｔ／ｓの信号光はそのスペクトルの広がりを考えて１００ＧＨｚ以上の間隔を保つ必要があるので、配置可能な波長が例えば波長グリッド番号１，５，９，１３，１７，２１等に限られていた。ここでは、４０Ｇｂｉｔ／ｓの信号光についても２５ＧＨｚ間隔の波長グリッド上の任意の波長に配置できるようにした応用例を説明する。
【００３８】
図１１は、上記の応用例による光ノード装置の要部構成を示す図である。
図１１において、本光ノード装置は、入力光を光カプラ１２３”で５つの経路Ｒ1〜Ｒ5に分岐し、１０Ｇｂｉｔ／ｓ用の経路として１つの経路Ｒ1、４０Ｇｂｉｔ／ｓ用の経路として４つの経路Ｒ2〜Ｒ5を割り当て、各経路Ｒ1〜Ｒ5を通ってビットレートごとに波長分散補償された信号光を光カプラ１２４”で再び合波するようにしたものである。
【００３９】
１０Ｇｂｉｔ／ｓ用の経路Ｒ1に配置される分波器２１１、複数の１×２光スイッチ２１２、合波器２１３および分散補償ファイバ２１４は上述した実施形態の場合と同様である。一方、４０Ｇｂｉｔ／ｓ用の各経路Ｒ2〜Ｒ5にそれぞれ配置される各分波器２２１1〜２２１4および各分波器２２３1〜２２３4は、例えば図１２に示すように、各々の透過帯域の中心波長（周波数）が２５ＧＨｚずつずれるように予め設計されており、透過帯域の一致する分波器および合波器同士が複数の１×２スイッチを介して接続されている。なお、各経路Ｒ2〜Ｒ5の分散補償ファイバ２２４1〜２２４4は、４０Ｇｂｉｔ／ｓの信号光に対して波長分散補償量が最適化された共通の分散補償ファイバが用いられる。
【００４０】
上記のような構成を適用することにより、２５ＧＨｚ間隔の波長グリッド上のどの波長に４０Ｇｂｉｔ／ｓの信号光を配置しても、当該信号光波長に中心波長が一致する透過帯域をもった分波器および合波器が存在するようになる。このため、４０Ｇｂｉｔ／ｓの信号光の波長配置に対応させて、各経路Ｒ2〜Ｒ5の１×２スイッチ２２２1〜２２２4の光路を切り替えるようにすることで４０Ｇｂｉｔ／ｓの信号光の合分波を行うことができる。具体的に、ここでは波長グリッド番号１（ｆ1ＧＨｚ）、５（ｆ1＋１００ＧＨｚ）、９（ｆ1＋２００ＧＨｚ）…に配置された４０Ｇｂｉｔ／ｓ信号光が経路Ｒ2を通り、波長グリッド番号２（ｆ1＋２５ＧＨｚ）、６（ｆ1＋１２５ＧＨｚ）、１０（ｆ1＋２２５ＧＨｚ）…に配置された４０Ｇｂｉｔ／ｓ信号光が経路Ｒ3を通る。また、波長グリッド番号３（ｆ1＋５０ＧＨｚ）、７（ｆ1＋１５０ＧＨｚ）、１１（ｆ1＋２５０ＧＨｚ）…に配置された４０Ｇｂｉｔ／ｓ信号光が経路Ｒ4を通り、波長グリッド番号４（ｆ1＋７５ＧＨｚ）、８（ｆ1＋１７５ＧＨｚ）、１２（ｆ1＋２７５ＧＨｚ）…に配置された４０Ｇｂｉｔ／ｓ信号光が経路Ｒ5を通る。したがって、１０Ｇｂｉｔ／ｓの信号光だけでなく、４０Ｇｂｉｔ／ｓの信号光についても２５ＧＨｚ間隔の波長グリッド上の任意の波長に配置することが可能になる。
【００４１】
なお、ここでは波長分散補償を行う光ノード装置についての応用例を示したが、信号光のアド・ドロップ等を行う光ノード装置にも同様にして応用することが可能である。また、上記のような構成は、光ノード装置だけでなく送信端局や受信端局に応用しても有効である。さらに、以上の説明では２５ＧＨｚ間隔の波長グリッド上に１０Ｇｂｉｔ／ｓ信号光および４０Ｇｂｉｔ／ｓ信号光を混在させる一例を挙げたが、本発明における波長グリッドの間隔および信号光の変調速度は上記の一例に限定されるものではない。
【００４２】
以上、本明細書で開示した主な発明について以下にまとめる。
【００４３】
（付記１）所定の間隔の波長グリッド上に配置された異なる変調速度を有する複数の信号光を含んだ波長多重光を分波する方法であって、
前記波長多重光を光カプラで分岐して、前記異なる変調速度にそれぞれ対応した複数の経路に送り、
該複数の経路に送られた各光を、当該経路の変調速度に対応した間隔を保って前記波長グリッド上に中心波長の設定された透過帯域を有する分波器を用いてそれぞれ分波し、
該分波器の各出力ポートに接続した光スイッチ上の光路を前記波長多重光に含まれる各信号光の波長および変調速度の設定に応じて切り替えることにより、前記分波器の各出力ポートから出力される信号光のうちで当該分波器が対応する変調速度の信号光を透過し、他の変調速度の信号光を遮断することを特徴とする光分波方法。
【００４４】
（付記２）所定の間隔の波長グリッド上に配置された異なる変調速度を有する複数の信号光を合波する方法であって、
前記複数の信号光を前記異なる変調速度にそれぞれ対応した複数の経路に送り、
該複数の経路に送られた各信号光を、当該経路の変調速度に対応した間隔を保って前記波長グリッド上に中心波長の設定された透過帯域を有する合波器を用いてそれぞれ合波する際に、該合波器の各入力ポートに対して当該合波器が対応する変調速度の信号光のみが与えられるようにし、
前記複数の経路の各合波器でそれぞれ合波された光をさらに光カプラで合波することを特徴とする光合波方法。
【００４５】
（付記３）所定の間隔の波長グリッド上に配置された異なる変調速度を有する複数の信号光を含んだ波長多重光を伝送する光伝送装置であって、
前記波長多重光を分波する分波部、および、入力される複数の信号光を合波する合波部の少なくとも一方を有し、
前記分波部は、前記波長多重光を分岐して前記異なる変調速度にそれぞれ対応した複数の経路に送る光カプラと、該光カプラにより複数の経路に送られた各光を、当該経路の変調速度に対応した間隔を保って前記波長グリッド上に中心波長の設定された透過帯域に従ってそれぞれ分波する複数の分波器と、該各分波器の各々の出力ポートに接続する複数の光スイッチと、前記複数の分波器の各出力ポートから出力される信号光のうちで当該分波器が対応する変調速度の信号光を透過し、他の変調速度の信号光を遮断するように、前記複数の光スイッチ上の各光路を、前記波長多重光に含まれる各信号光の波長および変調速度の設定に応じて切り替える制御部と、を備え、
前記合波部は、前記異なる変調速度にそれぞれ対応した複数の経路に送られる前記複数の信号光を、当該経路の変調速度に対応した間隔を保って前記波長グリッド上に中心波長の設定された透過帯域に従って合波する複数の合波器と、該各合波器の各入力ポートに対して当該合波器が対応する変調速度の信号光のみが与えられるようにする入力制御部と、前記複数の合波器でそれぞれ合波された光をさらに合波する光カプラと、を備えたことを特徴とする光伝送装置。
【００４６】
（付記４）付記３に記載の光伝送装置であって、
光ファイバ伝送路を伝搬した前記波長多重光が前記分波部に与えられ、該分波部で分波された各波長の信号光が前記合波部で再び合波されて前記光ファイバ伝送路に送られると共に、前記分波部の光カプラおよび前記合波部の光カプラの間の各経路を伝搬する信号光に対して予め定めた処理を施すノード処理部を備えたことを特徴とする光伝送装置。
【００４７】
（付記５）付記４に記載の光伝送装置であって、
前記ノード処理部は、予め定めた波長および変調速度の信号光を分岐および挿入することを特徴とする光伝送装置。
【００４８】
（付記６）付記４に記載の光伝送装置であって、
前記ノード処理部は、異なる変調速度ごとに分波された信号光群に対して、各々の変調速度に対応した波長分散補償を行うことを特徴とする光伝送装置。
【００４９】
（付記７）付記６に記載の光伝送装置であって、
前記ノード処理部は、前記合波部の複数の合波器と前記合波部の光カプラとの間の各経路上にそれぞれ挿入した複数の分散補償ファイバを有し、
前記分波部は、前記各分散補償ファイバに入力される信号光パワーが予め定めた上限値よりも小さくなるように、前記光カプラの分岐比が設定されていることを特徴とする光伝送装置。
【００５０】
（付記８）付記７に記載の光伝送装置であって、
前記分波部の光カプラの分岐比の設定に基づいて、前記合波部の光カプラの分岐比が設定されていることを特徴とする光伝送装置。
【００５１】
（付記９）付記４に記載の光伝送装置であって、
前記複数の経路にそれぞれ配置される前記分波器、前記複数の光スイッチおよび前記合波器に代えて、前記各経路に送られる複数の信号光のうちから任意の波長の信号光を選択し波長多重光として出力することが可能な光デバイスを前記各経路にそれぞれ配置したことを特徴とする光伝送装置。
【００５２】
（付記１０）付記９に記載の光伝送装置であって、
前記光デバイスは、波長ブロッカを含むことを特徴とする光伝送装置。
【００５３】
（付記１１）付記９に記載の光伝送装置であって、
前記光デバイスは、波長選択スイッチを含むことを特徴とする光伝送装置。
【００５４】
（付記１２）付記３に記載の光伝送装置であって、
光ファイバ伝送路を伝搬した前記波長多重光が前記分波部に与えられ、該分波部で分波された各信号光を各々の波長および変調速度に対応した受信機で受信処理することを特徴とする光伝送装置。
【００５５】
（付記１３）付記３に記載の光伝送装置であって、
複数の送信機から出力される波長および変調速度の異なる複数の信号光が前記合波部に与えられ、該合波部で合波された波長多重光を光ファイバ伝送路に送信することを特徴とする光伝送装置。
【００５６】
（付記１４）付記３に記載の光伝送装置であって、
前記複数の信号光は、２５ＧＨｚ間隔の波長グリッド上の任意の波長に配置可能な１０Ｇｂｉｔ／ｓの信号光と、前記２５ＧＨｚ間隔の波長グリッド上で少なくとも１００ＧＨｚの間隔を保って配置可能な４０Ｇｂｉｔ／ｓの信号光と、を含むことを特徴とする光伝送装置。
【００５７】
（付記１５）付記１４に記載の光伝送装置であって、
前記異なる変調速度にそれぞれ対応した複数の経路は、１０Ｇｂｉｔ／ｓに対応した１つの経路と、４０Ｇｂｉｔ／ｓに対応した４つの経路と、を有し、
該４０Ｇｂｉｔ／ｓに対応した各経路上にそれぞれ配置される前記分波器または前記合波器は、各々の透過帯域の中心周波数が互いに２５ＧＨｚずつずらして設定されていることを特徴とする光伝送装置。
【図面の簡単な説明】
【００５８】
【図１】本発明の光分波方法および光合波方法の基本的な原理を説明するための図である。
【図２】図１の各地点におけるスペクトルの一例を示す図である。
【図３】図１に関連した他の構成例を示す図である。
【図４】本発明による光伝送システムの一実施形態の全体構成を示す図である。
【図５】上記実施形態に用いられる光ノード装置について信号光のアド・ドロップを可能にするための構成例を示す図である。
【図６】上記実施形態に用いられる送信端局の変形例を示す図である。
【図７】上記実施形態に用いられる受信端局の変形例を示す図である。
【図８】上記実施形態に用いられる送信端局の他の変形例を示す図である。
【図９】上記実施形態に用いられる光ノード装置の応用例を示す図である。
【図１０】図９に関連した他の構成例を示す図である。
【図１１】上記実施形態に用いられる光ノード装置の他の応用例を示す図である。
【図１２】図１１の構成における各経路の分波器および合波器の透過帯域を示す図である。
【図１３】一般的なＷＤＭ光伝送システムの構成の一例を示す概略図である。
【図１４】先願発明の構成例を示す図である。
【符号の説明】
【００５９】
１，２，１１５，１２３，１２４，１３３…光カプラ（ＣＰＬ）
１０…１０Ｇｂｉｔ／ｓ用光デバイス
１１，２１１，３１１…１０Ｇｂｉｔ／ｓ用分波器
１２，２２，１１９，２１２，２１５，２２２，２２５，３１２，３２２…１×２光スイッチ
１３，１１３，２１３…１０Ｇｂｉｔ／ｓ用合波器
２０…４０Ｇｂｉｔ／ｓ用光デバイス
２１，２２１，３２１…４０Ｇｂｉｔ／ｓ用分波器
２３，１１４，２２３…４０Ｇｂｉｔ／ｓ用合波器
１１０…送信端局
１１１，１１２…送信機（ＯＳ）
１１７…管理部
１２０…光ノード装置
１２５，１３６…制御部
１３０…受信端局
１３４，１３５…受信機（ＯＲ）
２１４，２２４…分散補償ファイバ（ＤＣＦ）
２１６，２２６…２×１光スイッチ
Ｌ…光ファイバ伝送路
Ｔ…光終端器                                                                           
【図１】
2006086920.tif 000003
【図２】
2006086920.tif 000004
【図３】
2006086920.tif 000005
【図４】
2006086920.tif 000006
【図５】
2006086920.tif 000007
【図６】
2006086920.tif 000008
【図７】
2006086920.tif 000009
【図８】
2006086920.tif 000010
【図９】
2006086920.tif 000011
【図１０】
2006086920.tif 000012
【図１１】
2006086920.tif 000013
【図１２】
2006086920.tif 000014
【図１３】
2006086920.tif 000015
【図１４】
2006086920.tif 000016